(57)【要約】  【課題】  たとえば、エアコンディショナー設置工事において、建屋壁の貫通孔に挿通されたエアコンディショナーパイプ部材と貫通孔との間の隙間を埋めるための従来のパテ製品に関しては、使い勝手が必ずしもよくはない。より具体的には、本発明者は、パテが外側袋部材としばしば引付きやすく、パテの品質劣化がオイル成分揮発にともなう乾燥によりしばしば招来されやすいことに気付いた。  【解決手段】  成形されたパテ１１０と、パテ１１０を包込むシート部材１２０と、シート部材１２０により包込まれたパテを収納する外側袋部材１３０と、を備えたパテ製品１００である。【選択図】  図１
2020200073.tif 000002
【特許請求の範囲】
【請求項１】
成形されたパテと、
前記パテを包込む内側包装部材と、
前記内側包装部材により前記包込まれたパテを収納する外側袋部材と、
を備えたことを特徴とするパテ製品。
【請求項２】
前記内側包装部材は、シート部材であることを特徴とする請求項１に記載のパテ製品。
【請求項３】
前記パテは、略直方体形状に成形されており、
前記内側包装部材は、略矩形形状のシート部材であり、
広げられた前記シート部材の中央部に前記パテが載置されている状態で前記パテの周辺に位置する前記シート部材の各四辺部の少なくとも一部分が前記パテの上面へ直に接触するように、前記パテは前記シート部材により包込まれていることを特徴とする請求項２に記載のパテ製品。
【発明の詳細な説明】
【技術分野】
【０００１】
本発明は、たとえば、エアコンディショナー設置工事において、建屋壁の貫通孔に挿通されたエアコンディショナーパイプ部材と貫通孔との間の隙間を埋めるためのパテ製品に関する。
【背景技術】
【０００２】
成形されたパテと、パテを収納する外側袋部材と、を有する、建屋壁の貫通孔に挿通されたエアコンディショナーパイプ部材と貫通孔との間の隙間を埋めるためのパテ製品が、知られている。
【発明の概要】
【発明が解決しようとする課題】
【０００３】
しかしながら、従来のパテ製品に関しては、使い勝手が必ずしもよくはない。
【０００４】
より具体的には、本発明者は、パテが外側袋部材としばしば引付きやすく、パテの品質劣化がオイル成分揮発にともなう乾燥によりしばしば招来されやすいことに気付いた。
【０００５】
本発明は、上述された従来の課題を考慮し、使い勝手を向上することができるパテ製品を提供することを目的とする。
【課題を解決するための手段】
【０００６】
第１の本発明は、成形されたパテと、
前記パテを包込む内側包装部材と、
前記内側包装部材により前記包込まれたパテを収納する外側袋部材と、
を備えたことを特徴とするパテ製品である。
【０００７】
第２の本発明は、前記内側包装部材は、シート部材であることを特徴とする第１の本発明のパテ製品である。
【０００８】
第３の本発明は、前記パテは、略直方体形状に成形されており、
前記内側包装部材は、略矩形形状のシート部材であり、
広げられた前記シート部材の中央部に前記パテが載置されている状態で前記パテの周辺に位置する前記シート部材の各四辺部の少なくとも一部分が前記パテの上面へ直に接触するように、前記パテは前記シート部材により包込まれていることを特徴とする第２の本発明のパテ製品である。
【発明の効果】
【０００９】
本発明により、使い勝手を向上することが可能なパテ製品を提供することができる。
【図面の簡単な説明】
【００１０】
【図１】本発明における実施の形態のパテ製品の模式的な平面図
【図２】（ａ）本発明における実施の形態のパテおよびシート部材の模式的な平面図、（ｂ）本発明における実施の形態のパテおよびシート部材の模式的な左側面図
【図３】本発明における実施の形態のシート部材により包込まれていくパテの模式的な平面図（その一）
【図４】本発明における実施の形態のシート部材により包込まれていくパテの模式的な平面図（その二）
【図５】本発明における実施の形態のシート部材により包込まれていくパテの模式的な平面図（その三）
【発明を実施するための形態】
【００１１】
以下、図面を参照しながら、本発明における実施の形態について詳細に説明する。
【００１２】
パテ製品１００は、本発明におけるパテ製品の例である。
【００１３】
パテ１１０は、本発明におけるパテの例である。
【００１４】
シート部材１２０は、本発明における内側包装部材の例である。なお、本発明における内側包装部材は、シート部材ではなく、袋部材であってもよい。
【００１５】
外側袋部材１３０は、本発明における外側袋部材の例である。
【００１６】
はじめに、図１を参照しながら、本実施の形態のパテ製品１００について具体的に説明する。
【００１７】
ここに、図１は、本発明における実施の形態のパテ製品１００の模式的な平面図である。
【００１８】
パテ製品１００は、成形されたパテ１１０と、パテ１１０を包込むシート部材１２０と、シート部材１２０により包込まれたパテ１１０を収納する外側袋部材１３０と、を有する。
【００１９】
パテ１１０について具体的に説明すると、つぎの通りである。
【００２０】
パテ１１０は、たとえば、エアコンディショナー設置工事において、建屋壁の貫通孔に挿通されたエアコンディショナーパイプ部材と貫通孔との間の隙間を埋めるためのパテである。
【００２１】
パテ１１０の素材は、難燃性および粘着性などを有する素材である。パテ１１０の外観色は、たとえば、エアコンディショナー設置台の外観色と美的にマッチするアイボリー色である。
【００２２】
パテ１１０の重さは、たとえば、およそ５回のエアコンディショナー設置工事において利用可能であるように、１キログラムである。したがって、パテ１１０は、必要に応じてちぎって利用しやすい形状に成形されていることが望ましい。
【００２３】
シート部材１２０について具体的に説明すると、つぎの通りである。
【００２４】
シート部材１２０の素材は、たとえば、フィルムに好適である、ポリエチレン、ポリスチレン、ポリプロピレンおよび塩化ビニールなどのような樹脂である。シート部材１２０の外観色は、透明色であってもよいし、半透明色であってもよいし、不透明色であってもよい。
【００２５】
パテ１１０がシート部材１２０と過度に引付かないように、シート部材１２０の素材は非粘着性を有する素材であることが望ましい。もちろん、シート部材１２０により包込まれたパテ１１０は、パテ１１０を収納する外側袋部材１３０とはほとんど引付かない。
【００２６】
パテ１１０の品質劣化がオイル成分揮発にともなう乾燥により招来されないように、シート部材１２０の素材は密封性を有する素材であることが望ましい。
【００２７】
外側袋部材１３０について具体的に説明すると、つぎの通りである。
【００２８】
残ったパテ１１０を保存してつぎのエアコンディショナー設置工事の時に利用したい工事作業者が手指の汚れなどを気にしないで袋開閉を容易に行うことができるように、外側袋部材１３０は袋口チャック１３１を有する。
【００２９】
外側袋部材１３０の素材は、たとえば、袋に好適である、ポリエチレン、ポリスチレン、ポリプロピレンおよび塩化ビニールなどのような樹脂である。外側袋部材１３０の外観色は、透明色であってもよいし、半透明色であってもよいし、不透明色であってもよい。
【００３０】
パテ１１０の品質劣化がオイル成分揮発にともなう乾燥により招来されないように、外側袋部材１３０の素材は密封性を有する素材であることが望ましい。
【００３１】
つぎに、図２（ａ）および２（ｂ）を主として参照しながら、本実施の形態のパテ製品１００についてより具体的に説明する。
【００３２】
ここに、図２（ａ）は本発明における実施の形態のパテ１１０およびシート部材１２０の模式的な平面図であり、図２（ｂ）は本発明における実施の形態のパテ１１０およびシート部材１２０の模式的な左側面図である。
【００３３】
図２（ａ）および２（ｂ）においては、広げられたシート部材１２０の中央部にパテ１１０が載置されている状態が示されている。
【００３４】
パテ１１０は、略直方体形状に成形されている。
【００３５】
パテ１１０の略直方体形状は、パテ幅Ｗ、パテ長さＬおよびパテ高さＨを有する。たとえば、
【００３６】
（数１）
Ｗ＝１５［ｃｍ］，Ｌ＝２０［ｃｍ］，およびＨ＝２．５［ｃｍ］
である。
【００３７】
シート部材１２０は、略矩形形状のシート部材である。
【００３８】
シート部材１２０の略矩形形状は、シート部材幅Ａおよびシート部材長さＢを有する。たとえば、
【００３９】
（数２）
Ａ＝３７．５［ｃｍ］，およびＢ＝３２．５［ｃｍ］
である。
【００４０】
パテ１１０の横方向の載置位置に応じて決まる、シート部材左辺１２１からパテ１１０までの左辺部距離Ｘ１、およびシート部材右辺１２２からパテ１１０までの右辺部距離Ｘ２について、
【００４１】
（数３）
Ｘ１＋Ｘ２＝Ａ−Ｗ＞０
が成立する。たとえば、
【００４２】
（数４）
Ｘ１＝１２．５［ｃｍ］，およびＸ２＝１０［ｃｍ］
である。
【００４３】
パテ１１０の縦方向の載置位置に応じて決まる、シート部材上辺１２３からパテ１１０までの上辺部距離Ｙ１、およびシート部材下辺１２４からパテ１１０までの下辺部距離Ｙ２について、
【００４４】
（数５）
Ｙ１＋Ｙ２＝Ｂ−Ｌ＞０
が成立する。たとえば、
【００４５】
（数６）
Ｙ１＝７．５［ｃｍ］，およびＹ２＝５［ｃｍ］
である。
【００４６】
広げられたシート部材１２０の中央部にパテ１１０が載置されている状態でパテ１１０の周辺に位置するシート部材１２０の各四辺部の少なくとも一部分がパテ１１０の上面へ直に接触するように、パテ１１０はシート部材１２０により包込まれている。
【００４７】
シート部材１２０の各四辺部の少なくとも一部分がパテ１１０の上面へ直に接触するので、何れの辺部もパテ１１０からはだけにくい。
【００４８】
上述されたように、パテ１１０の略直方体形状は縦方向に長い板形状であり、シート部材上辺１２３およびシート部材下辺１２４の辺部の巻付けが第１のパテ包込みステップとして行われ、シート部材左辺１２１の辺部の巻付けが上左角部および下左角部を折込みながら第２のパテ包込みステップとして行われ、シート部材右辺１２２の辺部の巻付けが上右角部および下右角部を折込みながら第３のパテ包込みステップとして行われる包込み方は工事作業者が直感的にも理解しやすい包込み方である。
【００４９】
このようなシート部材１２０によるパテ１１０の包込み方について具体的に説明すると、つぎの通りである。
【００５０】
第一に、図３に示されているように、シート部材上辺１２３およびシート部材下辺１２４の辺部の巻付けが第１のパテ包込みステップとして行われる。
【００５１】
ここに、図３は、本発明における実施の形態のシート部材１２０により包込まれていくパテ１１０の模式的な平面図（その一）である。
【００５２】
上辺部距離Ｙ１について、シート部材上辺１２３の辺部の少なくとも一部分がパテ１１０の上面へ直に接触するように、
【００５３】
（数７）
Ｈ＜Ｙ１
が成立し、シート部材下辺１２４の辺部の少なくとも一部分がパテ１１０の上面へ直に接触するように、
【００５４】
（数８）
Ｙ１＜Ｈ＋Ｌ
が成立する。
【００５５】
下辺部距離Ｙ２について、シート部材下辺１２４の辺部の少なくとも一部分がパテ１１０の上面へ直に接触するように、
【００５６】
（数９）
Ｈ＜Ｙ２
が成立する。
【００５７】
（数７）から（数９）を成立させる上辺部距離Ｙ１および下辺部距離Ｙ２の存在のためのシート部材長さＢに関する下限シート部材縦方向寸法条件として、
【００５８】
（数１０）
Ｈ＜（Ｂ−Ｌ）−Ｈ
すなわち
【００５９】
（数１１）
Ｂ＞２Ｈ＋Ｌ
が得られる。
【００６０】
上述されたように、第２のパテ包込みステップおよび第３のパテ包込みステップが第１のパテ包込みステップの後に行われ、シート部材左辺１２１およびシート部材右辺１２２の辺部の少なくとも一部分がパテ１１０の上面へ直に接触することが要求される。
【００６１】
上辺部距離Ｙ１および下辺部距離Ｙ２について、シート部材左辺１２１およびシート部材右辺１２２の辺部の少なくとも一部分がパテ１１０の上面へ直に接触するように、
【００６２】
（数１２）
【００６３】
（Ｙ１＋Ｙ２）−２Ｈ＜Ｌ
が成立する。
【００６４】
（数１２）を成立させる上辺部距離Ｙ１および下辺部距離Ｙ２の存在のためのシート部材長さＢに関する上限シート部材縦方向寸法条件として、
【００６５】
（数１３）
【００６６】
（Ｂ−Ｌ）−２Ｈ＜Ｌ
すなわち
【００６７】
（数１４）
Ｂ＜２Ｈ＋２Ｌ
が得られる。
【００６８】
もちろん、結局のところ、シート部材下辺１２４の辺部の巻付けがシート部材上辺１２３の辺部の巻付けの後に行われなくてもよく、シート部材上辺１２３の辺部の巻付けがシート部材下辺１２４の辺部の巻付けの後に行われてもよい。
【００６９】
第二に、図４に示されているように、シート部材左辺１２１の辺部の巻付けが上左角部および下左角部を折込みながら第２のパテ包込みステップとして行われる。
【００７０】
ここに、図４は、本発明における実施の形態のシート部材１２０により包込まれていくパテ１１０の模式的な平面図（その二）である。
【００７１】
第三に、図５に示されているように、シート部材右辺１２２の辺部の巻付けが上右角部および下右角部を折込みながら第３のパテ包込みステップとして行われる。
【００７２】
ここに、図５は、本発明における実施の形態のシート部材１２０により包込まれていくパテ１１０の模式的な平面図（その三）である。
【００７３】
左辺部距離Ｘ１について、シート部材左辺１２１の辺部の少なくとも一部分がパテ１１０の上面へ直に接触するように、
【００７４】
（数１５）
Ｈ＜Ｘ１
が成立し、シート部材右辺１２２の辺部の少なくとも一部分がパテ１１０の上面へ直に接触するように、
【００７５】
（数１６）
Ｘ１＜Ｈ＋Ｗ
が成立する。
【００７６】
右辺部距離Ｘ２について、シート部材右辺１２２の辺部の少なくとも一部分がパテ１１０の上面へ直に接触するように、
【００７７】
（数１７）
Ｈ＜Ｘ２
が成立する。
【００７８】
（数１５）から（数１７）を成立させる左辺部距離Ｘ１および右辺部距離Ｘ２の存在のためのシート部材幅Ａに関する下限シート部材横方向寸法条件として、
【００７９】
（数１８）
Ｈ＜（Ａ−Ｗ）−Ｈ
すなわち
【００８０】
（数１９）
Ａ＞２Ｈ＋Ｗ
が得られる。
【００８１】
シート部材１２０の四辺部がパテ１１０の上面を露出部分なく完全に包込むことがさらに要求される場合が、考えられる。
【００８２】
このような場合においては、左辺部距離Ｘ１および右辺部距離Ｘ２について、
【００８３】
（数２０）
【００８４】
（Ｘ１＋Ｘ２）−２Ｈ≧Ｗ
が成立する。
【００８５】
（数２０）を成立させる左辺部距離Ｘ１および右辺部距離Ｘ２の存在のためのシート部材幅Ａに関する厳しい下限シート部材横方向寸法条件として、下限シート部材横方向寸法条件を与える（数１９）と置換えられる、
【００８６】
（数２１）
【００８７】
（Ａ−Ｗ）−２Ｈ≧Ｗ
すなわち
【００８８】
（数２２）
Ａ≧２Ｈ＋２Ｗ
が得られる。
【００８９】
シート部材右辺１２２の辺部の巻付けがシート部材左辺１２１の辺部の巻付けの後に行われなくてもよく、シート部材左辺１２１の辺部の巻付けがシート部材右辺１２２の辺部の巻付けの後に行われてもよいことがさらに要求される場合が、考えられる。
【００９０】
このような場合においては、右辺部距離Ｘ２について、
【００９１】
（数２３）
Ｘ２＜Ｈ＋Ｗ
が成立する。
【００９２】
（数２３）を成立させる左辺部距離Ｘ１および右辺部距離Ｘ２の存在のためのシート部材幅Ａに関する上限シート部材横方向寸法条件として、下限シート部材横方向寸法条件を与える（数１９）へ追加される、
【００９３】
（数２４）
Ｈ＋Ｗ＞（Ａ−Ｗ）−（Ｈ＋Ｗ）
すなわち
【００９４】
（数２５）
Ａ＜２Ｈ＋３Ｗ
が得られる。
【産業上の利用可能性】
【００９５】
本発明におけるパテ製品は、使い勝手を向上することができ、たとえば、エアコンディショナー設置工事において、建屋壁の貫通孔に挿通されたエアコンディショナーパイプ部材と貫通孔との間の隙間を埋めるためのパテ製品に利用する目的に有用である。
【符号の説明】
【００９６】
１００  パテ製品
１１０  パテ
１２０  シート部材
１２１  シート部材左辺
１２２  シート部材右辺
１２３  シート部材上辺
１２４  シート部材下辺
１３０  外側袋部材
１３１  袋口チャック
Ｗ  パテ幅
Ｌ  パテ長さ
Ｈ  パテ高さ
Ａ  シート部材幅
Ｂ  シート部材長さ
Ｘ１  左辺部距離
Ｘ２  右辺部距離
Ｙ１  上辺部距離
Ｙ２  下辺部距離
【図１】
2020200073.tif 000003
【図２】
2020200073.tif 000004
【図３】
2020200073.tif 000005
【図４】
2020200073.tif 000006
【図５】
2020200073.tif 000007